(57)【要約】【課題】電線群に集束保護および経路規制ができる外装材を簡単に設ける。【解決手段】三次元に曲げた状態で保形力を有する外装シートからなり、前記外装シートを電線群に寿司巻き状に巻き付けて筒形状の曲げた状態とし、該状態で巻始め部と巻終わり部となる幅方向の両側に設けている係止部を互いに係止して、電線群への巻付状態を保持できるものとしている。【選択図】図３
2015089303.tif 000002
【特許請求の範囲】
【請求項１】
三次元に曲げた状態で保形力を有する外装シートからなり、該外装シートを電線群に寿司巻き状に巻き付けて筒形状に曲げた状態とし、該状態で巻始め部と巻終わり部となる幅方向の両側に設けている係止部を互いに係止して、電線群への巻付状態を保持できるものとしているワイヤハーネス用の外装材。
【請求項２】
前記保形力を有する外装シートはポリエチレン延伸シートからなり、偏平状態から曲げて形状を変えることが出来ると共に変形後の形状を保持できる特性を有する請求項１に記載のワイヤハーネス用の外装材。
【請求項３】
前記外装シートの長さ方向の少なくとも１カ所に、巻始め部から分離もしくは突出させた電線群への差込用のタブ部を設けている請求項１または請求項２に記載のワイヤハーネス用の外装材。
【請求項４】
前記外装シートの幅方向の中央部を挟む一方の巻始め部の係止部と他方の巻終わり部の係止部は、長さ方向に連続させて設けており、
前記巻始め部の係止部は上向きコ字形状、巻終わり部の係止部は下向きコ字形状とし対称に屈折して形成し、巻始め部の係止部の上下横向き部で巻終わり部の係止部の下横向き部を挟持し、該巻終わり部の係止部の上下横向き部で巻始め部の係止部の上横向き部を挟持している請求項１乃至請求項３のいずれか１項に記載のワイヤハーネス用の外装材。
【請求項５】
前記外装シートの幅方向の中央部を挟む一方の巻始め部の係止部と他方の巻終わり部の係止部は、幅方向に対向させると共に長さ方向に間隔をあけて設けており、
前記巻始め部の係止部は長さ方向の一端より切り込みを入れると共に他方は連結し、巻終わり部の係止部は長さ方向の他端より切り込みを入れると共に一方は連結し、切り込みを入れた部分を嵌めあって係止している請求項１乃至請求項３のいずれか１項に記載のワイヤハーネス用の外装材。
【請求項６】
前記外装シートの幅方向の中央部を挟む一方の巻始め部の係止部と他方の巻終わり部の係止部は、幅方向に対向させると共に長さ方向に間隔をあけて設けており、
前記巻始め部の係止部はロック穴となる穴からなり、巻終わり部の係止部はロック片となる突出片からなり、該ロック片を前記ロック穴に挿入して係止している請求項１乃至請求項３のいずれか１項に記載のワイヤハーネス用の外装材。
【発明の詳細な説明】
【技術分野】
【０００１】
本発明はワイヤハーネス用の外装材に関し、詳しくは、複数本の電線を集束保護すると共に所要の経路にガイドして配索方向を規制する機能を有する外装材を、新規な材料を用いて、簡単に形成すると共に簡単に電線群に外装できるようにするものである。
【背景技術】
【０００２】
この種のワイヤハーネスの外装材として粘着テープあるいは粘着シートを用い、該外装材を電線群に巻き付けている。また、粘着テープに変えて、又は粘着テープと共にコルゲートチューブ、樹脂製丸チューブを外装材として併用し、電線群をチューブ内に貫通させている。さらに、外部干渉材との干渉を防止すると共に配索経路の規制のために樹脂成形品からなるプロテクタを設け、該プロテクタ内に電線群を挿通している場合もある。
【０００３】
ワイヤハーネスをストレート（直線状）に配索する必要がある箇所では、粘着テープを電線群に巻き付けただけでは直線状の保持力が弱い問題があると共に、プロテクタを設けるとコスト高になるため、図８（Ａ）（Ｂ）に示すように、樹脂棒を用いて直線状に保持している。具体的には、電線群１００に粘着テープ１０１を螺旋巻きして結束してワイヤハーネス１１０を形成し、ついで、直線状の樹脂棒１０２をワイヤハーネス１１０の外面に長さ方向に沿えて、再度、粘着テープ１１１を巻き付けている。
しかしながら、前記のように樹脂棒を用いた場合に粘着テープを２回巻き付けているため、作業性が悪い問題がある。
【０００４】
前記問題に対して、本出願人は特開２０１３−５６２３号公報において、図９（Ａ）（Ｂ）に示すように、熱成形性を有する不織布層２０１の表面に接着樹脂層２０２または金属層、ガラス繊維層等の機能付与層を積層したシート２００をワイヤハーネス用の保護シートとして提供している。該シート２００は電線群に巻き付けた状態で成形型に装填し、加熱して接着樹脂層２０２同士を接着して電線群の外周に外装している。外装状態でシート２００の形状が固定されるため、シート２００をストレート状にすると、電線群をストレートにガイドすることができる。
【先行技術文献】
【特許文献】
【０００５】
【特許文献１】特開２０１３−５６２３号公報
【発明の概要】
【発明が解決しようとする課題】
【０００６】
前記特許文献１のシート２００を用いると、電線群にシート２００を巻き付けた状態で成形型に装填して加熱する必要があり、設備費がかかると共に、加熱作業が必要となり、シート２００で囲む電線群に熱影響が与える恐れがある。特に、電線群をシート２００で外装した状態で形状が固定されて柔軟性が無くなるため、配索状況に応じて形状を容易に変えることができず、配索形状を変更するには成形型を多種類設ける必要がある。
【０００７】
本発明は前記問題を解消せんとするもので、加熱、加圧用の成形型等の設備を必要とせず、かつ、電線群の集束保護および車両への配索時の経路規制のために、所要の領域で所要の形状に容易に成形できるワイヤハーネス用の外装材を提供することを課題としている。
【課題を解決するための手段】
【０００８】
前記課題を解決するため、本発明は、三次元に曲げた状態で保形力を有する外装シートからなり、該外装シートを電線群に寿司巻き状に巻き付けて筒形状に曲げた状態とし、該状態で巻始め部と巻終わり部となる幅方向の両側に設けている係止部を互いに係止して、電線群への巻付状態を保持できるものとしているワイヤハーネス用の外装材を提供している。
【０００９】
前記保形力(即ち、形状保持力)を有する外装シートとして、ポリエチレン超延伸シート（積水成型工業株式会社製の登録商標フォルテ）が好適に用いられる。該ポリエチレン超延伸シートは、ポリエチレンが一軸方向に配列制御され、自在に形状を変えることができ、変形後も形状を保持できる特有な機能を有している。引張弾性率（ＧＰａ）が１０以上、引張強度（ＭＰａ）が３８以上あり、９０度曲げで戻り角度が０゜〜３゜で殆ど曲げ戻りがなく、曲げた状態で形状を保持できる保形力に富んだ特性を有する。しかも、切断端が丸みを帯びてエッジが発生しないため、安全性が高く、かつ、リサイクルが容易であり、よって、ワイヤハーネス用の外装材として好適に用いることができる。
【００１０】
前記外装シートの長さ方向の少なくとも１カ所に、巻始め部から分離もしくは突出させた電線群への差込用のタブ部を設けていることが好ましい。
外装シートの全長を電線群へ寿司巻きする前に、タブ部を電線群の外面より差し込むと、外装シートを電線群に仮保持でき、電線群への巻き付け作業をスムーズに行うことができる。
【００１１】
前記外装シートの幅方向の中央部を挟む一方の巻始め部の係止部と他方の巻終わり部の係止部は、長さ方向に連続させて設けており、
前記巻始め部の係止部は上向きコ字形状、巻終わり部の係止部は下向きコ字形状として対称に屈折して形成し、巻始め部の係止部の上下横向き部で巻終わり部の係止部の下横向き部を挟持し、該巻終わり部の係止部の上下横向き部で巻始め部の係止部の上横向き部を挟持している。
【００１２】
または、前記外装シートの幅方向の中央部を挟む一方の巻始め部の係止部と他方の巻終わり部の係止部は、幅方向に対向させると共に長さ方向に間隔をあけて設けており、
前記巻始め部の係止部は長さ方向の一端より切り込みを入れると共に他方は連結し、巻終わり部の係止部は長さ方向の他端より切り込みを入れると共に一方は連結し、切り込みを入れた部分を互いに嵌め合って係止している。
【００１３】
または、前記外装シートの幅方向の中央部を挟む一方の巻始め部の係止部と他方の巻終わり部の係止部は、幅方向に対向させると共に長さ方向に間隔をあけて設けており、
前記巻始め部の係止部はロック穴となる穴からなり、巻終わり部の係止部はロック片となる突出片からなり、該ロック片を前記ロック穴に挿入して係止している。
【発明の効果】
【００１４】
前記のように、本発明のワイヤハーネス用の外装材は、作業員が手作業で容易に曲げることができる程度の曲げ性を有する一方、一旦、曲げると曲げ戻りが生じない形状保持力を有するシートを外装シートとして用い、寿司巻状に一周巻き付けた状態で互いに係止する係止部を巻始め部と巻終わり部に、予め屈折または切断して切り欠いて設けるだけの簡単な形状としているため、安価に提供でき、かつ、ワイヤハーネスの電線群に容易に巻き付けて保持することができる。また、該外装シートは形状保持力を有し、電線群への巻き付け状態で弛まないため、ワイヤハーネスを直線配索する場合に従来用いられている樹脂棒をワイヤハーネスに沿って巻き付ける作業を不要にできる。
【図面の簡単な説明】
【００１５】
【図１】本発明の第１実施形態の電線群に外装シートを巻き付けて外装した状態を示し、（Ａ）は斜視図、（Ｂ）は要部拡大断面図である。
【図２】前記外装シートを示し、（Ａ）は平面図、（Ｂ）は（Ａ）のＢ−Ｂ線断面図、（Ｃ）は（Ｂ）の拡大図、（Ｄ）は係止部同士を係止した状態を示す図面である。
【図３】（Ａ）〜（Ｃ）は外装シートで電線群を外装する工程を示す図面である。
【図４】第１実施形態の第１変形例を示し、（Ａ）は外装シートの拡大断面図、（Ｂ）は係止部同士を係止した状態を示す図面である。
【図５】第１実施形態の第２変形例を示す概略平面図である。
【図６】第２実施形態を示し、（Ａ）は外装シートの平面図、（Ｂ）は（Ａ）の要部拡大図、（Ｃ）は係止部同士の係止状態を示す図面である。
【図７】第３実施形態を示し、（Ａ）は外装シートの平面図、（Ｂ）は電線群への取り付け状態を示す要部拡大図、（Ｃ）は係止部同士の係止状態の変形例を示す図面である。
【図８】（Ａ）（Ｂ）は従来例を示す図面である。
【図９】（Ａ）（Ｂ）は他の従来例を示す図面である。
【発明を実施するための形態】
【００１６】
以下、本発明の実施形態を図面を参照して詳述する。
図１乃至図３に第１実施形態を示す。
図１に示すワイヤハーネス１は自動車に配索するもので、電線群２の外周に樹脂製の外装シート３を寿司巻き状に略１周巻き付けて筒形状とし、この筒形状に巻き付けた状態で粘着剤等を用いずに保持できるものとしている。
【００１７】
外装シート３は厚さ０．４ｍｍ〜１．０ｍｍで、容易に曲げることはできるが、外力による曲げ力が作用しない限り曲げられた状態に保持される形状保持力を備える。即ち、三次元に曲げた状態で、曲げ戻りがなく、保形力を有する形状保持シートからなる。よって、外装シート３を電線群２の外周に湾曲して円筒状に巻き付けると、この円筒状から曲げ戻されて元の偏平状のシートに戻らず、筒形状に保持されるものである。かつ、外装シート３の巻始め部３ｓと巻終わり部３ｅに、予め折り曲げて互い係止する係止部３ａと３ｂを設けており、該係止部３ａと３ｂを互いに係止して円筒状の巻き付け状態を保持できるものとしている。
よって、シートを電線群に巻き付けた状態で、粘着剤で固着する必要はなく、あるいは、粘着テープを巻き付けて巻き付け状態を保持する必要はないものとしている。
【００１８】
前記形状保持力を有する外装シート３として、本実施形態では、積水成型工業株式会社製のフォルテ（登録商標）からなるポリエチレン超延伸シートを用いている。該ポリエチレン超延伸シートは、ポリエチレンフィルムを一軸方向に高倍率で延伸して制御したもので、自在に形状を変えることができ、曲げ角度が０゜〜３゜で殆ど曲げ戻りがなく、曲げた状態で形状を保持できる保形性に富んだ特性を有する。密度０．９７、引張弾性率（ＧＰａ）が１０以上、引張強度（ＭＰａ）が３８以上である。
【００１９】
前記外装シート３は、図２に示す幅Ｙを、巻き付ける電線群２の外周長さＬ１に相当する長さの中央部３ｃと、その両側に設ける前記係止部３ａ、３ｂの折り曲げ前の長さＬ２、Ｌ３を加えた長さとしている。幅方向の両端に設ける前記係止部３ａ、３ｂは外装シート３の長さ方向Ｘの全長にわたって設けている。本実施形態では係止部３ａ、３ｂは対称形状としているため長さＬ２とＬ３は同等である。
【００２０】
外装シート３の長さ方向の一端は、巻始め側の係止部３ａおよび中央部３ｃを、巻終わり側の係止部３ｂよりベラ形成分だけ長くし、巻始め端３ｓから中央部３ｃに若干切り込みを入れて、電線群への差込用のベラ部３ｄを設けている。該ベラ３ｄを電線群２の外周面から内部に差し込むことで、外装シート３の巻始め部３ｓを電線群２の外周に仮保持できるようにしている。
【００２１】
外装シート３の巻始め部３ｓの係止部３ａは図２（Ｂ）（Ｃ）に示すように、中央部３ｃの幅方向の一端から上向きコ字状に折り曲げて設け、上下横向き部３ａ−１と３ａ−２を縦連結部３ａ−３で連結した形状としている。
外装シート３の巻終わり部３ｅの係止部３ｂも同様で、中央部３ｃの幅方向の他端から下向きコ字状に折り曲げて設け、上下横向き部３ｂ−１と３ｂ−２を縦連結部３ｂ−３で連結した形状としている。
【００２２】
前記係止部３ａ、３ｂの縦連結部３ａ−３、３ｂ−３の高さは外装シート３の厚さより若干小さくしている。これにより、巻始め部の係止部３ａの上下横向き部３ａ−１と３ａ−２に挟まれた係止空間３ａ−４に、巻終わり部の係止部３ｂの下横向き部３ｂ−２を押し込むようにしている。該状態で、係止部３ｂの下横向き部３ｂ−２を係止部３ａの上下横向き部３ａ−１と３ａ−２で挟持すると同時に、係止部３ａの上横向き部３ａ−１を係止部３ｂの上下横向き部３ｂ−１と３ｂ−２で挟持し、外装シート３の長さ方向Ｘの全長にわたって、巻始め部３ｓと巻終わり部３ｅを係止部３ａと３ｂとを互いに係止して巻き付け状態に保持できるようにしている。
【００２３】
次に、外装シート３の電線群２への取付手順を図３を参照して説明する。
まず、連続成形されている外装シートを、巻き付ける電線群２の外周長と巻付領域の長さに対応させた所要の幅Ｙと長さＸを有する大きさに切り出す。
この所要の幅Ｙと長さＸを有する外装シート３を、電線群２に巻き付ける前に、前記図２に示すように、長さ方向の一端で巻終わり部３ｅを所要長さで切除し、巻始め部３ｓから中央部３ｃにかけて切り込みを入れてベラ３ｄを形成する。
また、幅方向の両端の巻始め部３ｓと巻終わり部３ｅの前記係止部３ａと３ｂをそれぞれ２回９０度曲げして形成する。これにより、図３（Ａ）に示す形状とする。
【００２４】
ついで、図３（Ｂ）に示すように、外装シート３を巻き付ける電線群２の長さ方向の一端側で、外装シート３のベラ３ｄを外面から電線群２の内部に差し込んで、外装シート３を電線群２に仮保持する。
【００２５】
ついで、外装シート３の巻始め部３ｓの全長を電線群２の外周面に押し当てて寿司巻き状に巻き付ける。前記巻始め部３ｓでは係止部３ａを外周面に向けて突出させた状態としておく。外装シート３を電線群２に一周巻き付けると、巻終わり部３ｅの係止部３ｂが図３（Ｃ）に示すように巻始め部３ｓの係止部３ａの上面に重なる。係止部３ｂの下横向き部３ｂ−２を係止部３ａの上下横向き部３ａ−１と３ａ−２に挟まれた係止空間に押し込む。この係止部３ａと３ｂとの係止状態も形状保持される。
【００２６】
外装シート３を電線群２の外周に巻き付ける際に曲げ力が加わっているため、外装シート３は円筒状に変形した状態を保持されると共に、巻終わり端３ｅの係止部３ｂを巻始め単３ｓの係止部３ａに長さ方向Ｘの全長で係止することで、外装シート３を電線群２の外周に巻き付け状態で保持できる。
【００２７】
このように、曲げた状態で形状保持できる保形力を有する外装シート３を用いることで、電線群２の外周に巻き付けて筒状とし、この状態で、巻終わり部３ｅの係止部３ｂを巻始め部３ｓの係止部３ａに係止すれば、この係止状態も保持される。よって、粘着剤や粘着テープを用いることなく、外装シート３のみで電線群２に外装できる。しかも、外装シート３は長さ方向でストレートとして、電線群２に巻き付けると、外装シート３は直線保持力を有するため、従来例に記載の樹脂棒を用いることなくワイヤハーネスを直線状に保持して配索することができる。  
【００２８】
図４（Ａ）（Ｂ）に前記第１実施形態の第１変形例を示す。
第１変形例では、係止部３ａの縦連結部３ａ−３に長さ方向に間隔をあけて係止穴３ａ−ｈを設ける一方、係止部３ｂの先端に前記係止穴３ａ−ｈに挿入した後に折り曲げる係止片３ｂ−４を設け、係止力をより増強する構成としている。
【００２９】
図５に前記第１実施形態の第２変形例を示す。
第２変形例では、外装シート３を電線群２に巻き付けて保持したワイヤハーネス１を自動車配索時に配索経路に沿わせて配索し、この配索時に外装シート３を配索経路の湾曲箇所および屈折箇所で、湾曲および屈折して、湾曲部３Ｚ１および屈折部３Ｚ２を設けている。
【００３０】
図６（Ａ）〜（Ｃ）に第２実施形態を示す。
第２実施形態の外装シート３自体は第１実施形態と同様な樹脂製シートからなり形状保持力を有するものである。
第２実施形態では、外装シート３の幅方向両端の巻始め部３ｓと巻終わり部３ｅに設ける係止部３０ａ、３０ｂの形状を第１実施形態の係止部３ａ、３ｂと変えている。
係止部３０ａ、３０ｂは、長さ方向の全長に連続して設けずに長さ方向に間隔をあけて設けている。また、幅方向に対向した位置に、一対一で係止部３０ａ、３０ｂを設けている。
【００３１】
巻始め部３ｓの係止部３０ａは長さ方向の一方側Ｘ−１が中央部３ｃと連続し、他方側Ｘ−２はスリット３０ｓをいれて分離し、長さ方向の一方を中央部３ｃと連結した連結部３０ａ−１、他方を分離部３０ａ−２として設けている。
同様に、巻終わり部３ｅの係止部３０ｂは長さ方向の他方側Ｘ−２が中央部３ｃと連続した連結部３０ｂ−１、一方側Ｘ−１はスリット３０ｓをいれた分離部３０ｂ−２としている。このように、外装シート３の係止部３０ａ、３０ｂは第１実施形態の係止部３ａ、３ｂのように曲げて形成していない。
また、外装シート３の長さ方向の一端側には、第１実施形態と同様に、中央部３ｃの巻始め側端よりベラ部３ｄを突設すると共に、中央部３ｃに切り込みを入れてベラ部３ｄと連続させている。
【００３２】
外装シート３に前記係止部３０ａ、３０ｂおよびベラ部３ｄを予め設けておき、第１実施形態と同様に、まず、ベラ部３ｄを電線群２の外面より差し込んで仮保持する。
ついで、電線群２の外周に寿司巻き状に一周巻き付ける。この状態で巻始め部３ｓの係止部３０ａと巻終わり部３ｅの係止部３０ｂとは互いに重なり合う状態で位置する。
図６（Ｃ）に示すように、係止部３０ａと３０ｂのスリット３０ｓと３０ｓ同士を嵌めあわせ、係止部３０ａの連結部３０ａ−１と係止部３０ｂの分離部３０ｂ−２を隣接させ、係止部３０ａの分離部３０ａ−２と係止部３０ｂの連結部３０ｂ−１を隣接させて、巻始め部３ｓと巻終わり部３ｅとを係止して、巻き付け状態を保持する。
他の構成及び作用効果は第１実施形態と同様であるため、説明を省略する。
【００３３】
図７（Ａ）（Ｂ）に第３実施形態を示す。  
第３実施形態の外装シート３自体は第１、第２実施形態と同様な樹脂製シートからなり形状保持力を有するものである。
第３実施形態では、外装シート３の幅方向両端の巻始め部３ｓと巻終わり部３ｅに設ける係止部３１ａ、３１ｂの形状を第１、第２実施形態の係止部と変えている。かつ、第２実施形態と同様に、係止部３１ａ、３１ｂは、長さ方向の全長に連続して設けておらず、幅方向Ｙでは対向位置に一対一で設けている係止部３１ａ、３１ｂを長さ方向に間隔をあけて設けている。
【００３４】
巻始め部３ｓの係止部３１ａはロック穴となる長穴とし、巻終わり部３ｅの係止部３１ｂはロック片となる長方形状の突出片からなる。このように、外装シート３の係止部３１ａ、３１ｂは第１実施形態の係止部３ａ、３ｂのように曲げて形成していない。
また、外装シート３の長さ方向の一端側には、第２実施形態と同様に、中央部３ｃの巻始め側端よりベラ部３ｄを突設すると共に、中央部３ｃに切り込みを入れてベラ部３ｄと連続させている。
【００３５】
外装シート３に前記係止部３１ａ、３１ｂおよびベラ部３ｄを予め設けておき、第１実施形態と同様に、まず、ベラ部３ｄを電線群２の外面より差し込んで仮保持する。ついで、電線群２の外周に寿司巻き状に一周巻き付ける。この状態で巻始め部３ｓの係止部３１ａのロック穴に巻終わり部３ｅの係止部３１ｂのロック片が互いに重なり合う状態で位置し、ロック片をロック穴に挿入係止して、係止部３１ａと３１ｂとを互いに係止し、巻き付け状態を保持する。
他の構成及び作用効果は第１実施形態と同様であるため、説明を省略する。
【００３６】
なお、図７（Ｃ）に示すように、ロック穴の係止部３１ａにロック片の係止部３１ｂを差し込んだ後に、ロック片３１ｂを折り返してロック穴の周縁部に重ねると係止力を高めることができる。
【００３７】
本発明は前記実施形態に限定されず、第２、第３実施形態においてもベラ部を外装シートの長さ方向の一端ではなく、両端に設けてもよく、さらに、長さ方向に間隔をあけて中間位置にもベラ部を設けてもよい。このように、ベラ部を複数箇所に設けると、外装シートを電線群により確実に仮保持できる。
【００３８】
また、外装シート自体を前記ポリエチレン超延伸シートの一面にウレタンシート等の弾性シートを積層一体化したシートとし、弾性シートを電線群への巻き付け状態で外面側に位置させて緩衝機能、振動減衰機能を有する高機能を加えてもよい。
また、前記ポリエチレン超延伸シートの位置面に金属箔等からなるシールド層を積層一体化して、シールド機能付きとし、シールド層を電線群への巻き付け状態で外面側に位置させてシールド機能付き外装材として高機能を加えてもよい。
【符号の説明】
【００３９】
１  ワイヤハーネス
２  電線群
３  外装シート
３ａ、３ｂ  係止部
３ｃ  中央部
３ｅ  巻終わり部
３ｄ  ベラ部
３ｓ  巻始め部
【図１】
2015089303.tif 000003
【図２】
2015089303.tif 000004
【図３】
2015089303.tif 000005
【図４】
2015089303.tif 000006
【図５】
2015089303.tif 000007
【図６】
2015089303.tif 000008
【図７】
2015089303.tif 000009
【図８】
2015089303.tif 000010
【図９】
2015089303.tif 000011